(57)【要約】【課題】  表示中の発表資料上の位置を発表者がポインターによって指し示しながら発表するとき、この発表資料に含まれる要素の少なくとも１つの配置を変更した要素配置変更資料を発表の聞き手に対して表示する場合に、ポインターによる発表資料上の指示位置を要素配置変更資料に対して適切に示すことができる画像処理プログラム、画像処理装置および画像処理システムを提供する。【解決手段】  画像処理プログラムは、撮像部によって撮影された発表資料の画像に対する画像処理によって、ポインターによるこの発表資料上の指示位置を取得し（Ｓ１３１）、指示位置に対応する要素配置変更資料上の位置を変更後指示位置として決定し（Ｓ１３３）、変更後指示位置を示す変更後指示位置指示画像を要素配置変更資料の画像に合成した画像を、表示部によって表示される表示用画像として生成する（Ｓ１３４）ことを特徴とする。【選択図】  図９
2014235561.tif 000002
【特許請求の範囲】
【請求項１】
表示中の発表資料を撮影するための撮像デバイスと、前記発表資料に含まれる要素の配置を変更した要素配置変更資料を表示するための表示デバイスとを備えるコンピューターによって実行される画像処理プログラムであって、
前記表示デバイスによって表示される表示用画像を生成する表示用画像生成手段、
前記撮像デバイスによって撮影された前記発表資料の画像に対する画像処理によって、発表者がポインターによって指し示す前記発表資料上の指示位置を取得する指示位置取得手段、および、
前記指示位置取得手段によって取得された前記指示位置に対応する前記要素配置変更資料上の位置を変更後指示位置として決定する変更後指示位置決定手段として前記コンピューターを機能させ、
前記表示用画像生成手段は、前記変更後指示位置決定手段によって決定された前記変更後指示位置を示す変更後指示位置指示画像を前記要素配置変更資料の画像に合成した画像を前記表示用画像として生成することを特徴とする画像処理プログラム。
【請求項２】
前記変更後指示位置決定手段は、前記指示位置取得手段によって取得された前記指示位置が前記要素の位置であって、この要素が前記要素配置変更資料において前記発表資料から配置が変更される場合に、この要素の変更後の配置に合わせて前記変更後指示位置を決定することを特徴とする請求項１に記載の画像処理プログラム。
【請求項３】
前記要素配置変更資料は、前記発表資料に含まれる前記要素の左右方向の配置を変更した資料であることを特徴とする請求項１または請求項２に記載の画像処理プログラム。
【請求項４】
表示中の発表資料を撮影するための撮像デバイスと、
前記発表資料に含まれる要素の配置を変更した要素配置変更資料を表示するための表示デバイスと、
前記表示デバイスによって表示される表示用画像を生成する表示用画像生成手段と、
前記撮像デバイスによって撮影された前記発表資料の画像に対する画像処理によって、発表者がポインターによって指し示す前記発表資料上の指示位置を取得する指示位置取得手段と、
前記指示位置取得手段によって取得された前記指示位置に対応する前記要素配置変更資料上の位置を変更後指示位置として決定する変更後指示位置決定手段とを備え、
前記表示用画像生成手段は、前記変更後指示位置決定手段によって決定された前記変更後指示位置を示す変更後指示位置指示画像を前記要素配置変更資料の画像に合成した画像を前記表示用画像として生成することを特徴とする画像処理装置。
【請求項５】
表示中の発表資料を撮影するための撮像デバイスと、前記発表資料に含まれる要素の配置を変更した要素配置変更資料を表示するための表示デバイスとを有する画像処理装置を備え、
前記表示デバイスによって表示される表示用画像を生成する表示用画像生成手段と、
前記撮像デバイスによって撮影された前記発表資料の画像に対する画像処理によって、発表者がポインターによって指し示す前記発表資料上の指示位置を取得する指示位置取得手段と、
前記指示位置取得手段によって取得された前記指示位置に対応する前記要素配置変更資料上の位置を変更後指示位置として決定する変更後指示位置決定手段とを備え、
前記表示用画像生成手段は、前記変更後指示位置決定手段によって決定された前記変更後指示位置を示す変更後指示位置指示画像を前記要素配置変更資料の画像に合成した画像を前記表示用画像として生成することを特徴とする画像処理システム。
【発明の詳細な説明】
【技術分野】
【０００１】
本発明は、元の画像に対して、この画像に含まれる要素の配置を変更した画像を表示するための画像処理プログラム、画像処理装置および画像処理システムに関する。
【背景技術】
【０００２】
従来、元の画像に対して、この画像に含まれる要素、すなわち、文字と、画像と、文字および画像の少なくとも一方を含む領域との配置を変更した画像を表示する方法が知られている（例えば特許文献１、２参照。）。
【先行技術文献】
【特許文献】
【０００３】
【特許文献１】特開２０１０−０３９６５１号公報
【特許文献２】特開２０１０−２３１８１２号公報
【発明の概要】
【発明が解決しようとする課題】
【０００４】
他人への情報の伝達の方法の１つとして発表が知られている。そして、一般的な発表の方法として、表示中の発表資料上の位置を発表者がポインターによって指し示しながら発表する方法が知られている。この発表の方法における発表資料を元の画像として特許文献１、２に記載された方法を適用すれば、この発表資料に含まれる要素の配置を変更した要素配置変更資料を発表の聞き手に対して表示することができると考えられる。
【０００５】
しかしながら、特許文献１、２に記載された方法においては、発表資料に含まれる要素の配置を変更することができるものの、ポインターによる発表資料上の指示位置を要素配置変更資料に対して適切に示すことができないという問題がある。
【０００６】
そこで、本発明は、表示中の発表資料上の位置を発表者がポインターによって指し示しながら発表するとき、この発表資料に含まれる要素の配置を変更した要素配置変更資料を発表の聞き手に対して表示する場合に、ポインターによる発表資料上の指示位置を要素配置変更資料に対して適切に示すことができる画像処理プログラム、画像処理装置および画像処理システムを提供することを目的とする。
【課題を解決するための手段】
【０００７】
本発明の画像処理プログラムは、表示中の発表資料を撮影するための撮像デバイスと、前記発表資料に含まれる要素の配置を変更した要素配置変更資料を表示するための表示デバイスとを備えるコンピューターによって実行される画像処理プログラムであって、前記表示デバイスによって表示される表示用画像を生成する表示用画像生成手段、前記撮像デバイスによって撮影された前記発表資料の画像に対する画像処理によって、発表者がポインターによって指し示す前記発表資料上の指示位置を取得する指示位置取得手段、および、前記指示位置取得手段によって取得された前記指示位置に対応する前記要素配置変更資料上の位置を変更後指示位置として決定する変更後指示位置決定手段として前記コンピューターを機能させ、前記表示用画像生成手段は、前記変更後指示位置決定手段によって決定された前記変更後指示位置を示す変更後指示位置指示画像を前記要素配置変更資料の画像に合成した画像を前記表示用画像として生成することを特徴とする。
【０００８】
この構成により、本発明の画像処理プログラムは、撮像デバイスによって撮影された発表資料の画像に対する画像処理によって、ポインターによる前記発表資料上の指示位置を取得し、前記指示位置に対応する要素配置変更資料上の位置を変更後指示位置として決定し、前記変更後指示位置を示す変更後指示位置指示画像を要素配置変更資料の画像に合成した画像を、表示デバイスによって表示される表示用画像として生成する。このため、表示中の発表資料上の位置を発表者がポインターによって指し示しながら発表するとき、前記発表資料に含まれる要素の配置を変更した要素配置変更資料を発表の聞き手に対して表示する場合に、ポインターによる発表資料上の指示位置を変更後指示位置指示画像によって要素配置変更資料に対して適切に示すことができる。
【０００９】
また、本発明の画像処理プログラムにおいて、前記変更後指示位置決定手段は、前記指示位置取得手段によって取得された前記指示位置が前記要素の位置であって、この要素が前記要素配置変更資料において前記発表資料から配置が変更される場合に、この要素の変更後の配置に合わせて前記変更後指示位置を決定しても良い。
【００１０】
この構成により、本発明の画像処理プログラムは、表示中の発表資料上においてポインターによって指し示されている要素が要素配置変更資料において発表資料から配置が変更される場合に、この要素の変更後の配置に合わせた変更後指示位置を示す変更後指示位置指示画像を要素配置変更資料の画像に合成して表示用画像を生成する。このため、ポインターによる発表資料上の指示位置を変更後指示位置指示画像によって要素配置変更資料に対して適切に示すことができる。
【００１１】
また、本発明の画像処理プログラムにおいて、前記要素配置変更資料は、前記発表資料に含まれる前記要素の左右方向の配置を変更した資料であっても良い。
【００１２】
この構成により、本発明の画像処理プログラムは、言語が横書きされる場合に左から右に記述される日本語圏、英語圏などの文化圏と、右から左に記述されるアラビア語圏などの文化圏との違いのように、発表資料が対応している文化圏と、聞き手の文化圏とで言語が横書きされる場合の記述方向が異なるときであっても、ポインターによる発表資料上の指示位置を変更後指示位置指示画像によって要素配置変更資料に対して適切に示すことができる。
【００１３】
本発明の画像処理装置は、表示中の発表資料を撮影するための撮像デバイスと、前記発表資料に含まれる要素の配置を変更した要素配置変更資料を表示するための表示デバイスと、前記表示デバイスによって表示される表示用画像を生成する表示用画像生成手段と、前記撮像デバイスによって撮影された前記発表資料の画像に対する画像処理によって、発表者がポインターによって指し示す前記発表資料上の指示位置を取得する指示位置取得手段と、前記指示位置取得手段によって取得された前記指示位置に対応する前記要素配置変更資料上の位置を変更後指示位置として決定する変更後指示位置決定手段とを備え、前記表示用画像生成手段は、前記変更後指示位置決定手段によって決定された前記変更後指示位置を示す変更後指示位置指示画像を前記要素配置変更資料の画像に合成した画像を前記表示用画像として生成することを特徴とする。
【００１４】
この構成により、本発明の画像処理装置は、撮像デバイスによって撮影された発表資料の画像に対する画像処理によって、ポインターによる前記発表資料上の指示位置を取得し、前記指示位置に対応する要素配置変更資料上の位置を変更後指示位置として決定し、前記変更後指示位置を示す変更後指示位置指示画像を要素配置変更資料の画像に合成した画像を、表示デバイスによって表示される表示用画像として生成する。このため、表示中の発表資料上の位置を発表者がポインターによって指し示しながら発表するとき、前記発表資料に含まれる要素の配置を変更した要素配置変更資料を発表の聞き手に対して表示する場合に、ポインターによる発表資料上の指示位置を変更後指示位置指示画像によって要素配置変更資料に対して適切に示すことができる。
【００１５】
本発明の画像処理システムは、表示中の発表資料を撮影するための撮像デバイスと、前記発表資料に含まれる要素の配置を変更した要素配置変更資料を表示するための表示デバイスとを有する画像処理装置を備え、前記表示デバイスによって表示される表示用画像を生成する表示用画像生成手段と、前記撮像デバイスによって撮影された前記発表資料の画像に対する画像処理によって、発表者がポインターによって指し示す前記発表資料上の指示位置を取得する指示位置取得手段と、前記指示位置取得手段によって取得された前記指示位置に対応する前記要素配置変更資料上の位置を変更後指示位置として決定する変更後指示位置決定手段とを備え、前記表示用画像生成手段は、前記変更後指示位置決定手段によって決定された前記変更後指示位置を示す変更後指示位置指示画像を前記要素配置変更資料の画像に合成した画像を前記表示用画像として生成することを特徴とする。
【００１６】
この構成により、本発明の画像処理システムは、撮像デバイスによって撮影された発表資料の画像に対する画像処理によって、ポインターによる前記発表資料上の指示位置を取得し、前記指示位置に対応する要素配置変更資料上の位置を変更後指示位置として決定し、前記変更後指示位置を示す変更後指示位置指示画像を要素配置変更資料の画像に合成した画像を、表示デバイスによって表示される表示用画像として生成する。このため、表示中の発表資料上の位置を発表者がポインターによって指し示しながら発表するとき、前記発表資料に含まれる要素の配置を変更した要素配置変更資料を発表の聞き手に対して表示する場合に、ポインターによる発表資料上の指示位置を変更後指示位置指示画像によって要素配置変更資料に対して適切に示すことができる。
【発明の効果】
【００１７】
本発明の画像処理プログラム、画像処理装置および画像処理システムは、表示中の発表資料上の位置を発表者がポインターによって指し示しながら発表するとき、前記発表資料に含まれる要素の配置を変更した要素配置変更資料を発表の聞き手に対して表示する場合に、ポインターによる発表資料上の指示位置を要素配置変更資料に対して適切に示すことができる。
【図面の簡単な説明】
【００１８】
【図１】本発明の一実施の形態に係る画像処理システムのブロック図である。
【図２】図１に示す発表用コンピューターのブロック図である。
【図３】図１に示す携帯機器のブロック図である。
【図４】図２に示す発表資料データによって表される発表資料の一例を示す図である。
【図５】要素配置変更資料データを生成する場合の図２に示す発表用コンピューターの動作のフローチャートである。
【図６】（ａ）図４に示す発表資料のうち文字を含む１つの領域を示す図である。（ｂ）図６（ａ）に示す領域に対して、文字の配置を変更した状態を示す図である。
【図７】（ａ）図４に示す発表資料のうち画像を含む領域を示す図である。（ｂ）図７（ａ）に示す領域に対して、画像の配置を変更した状態を示す図である。
【図８】（ａ）図４に示す発表資料から生成された要素配置変更資料の一例を示す図である。（ｂ）図４に示す発表資料から生成された要素配置変更資料の一例であって、図８（ａ）に示す例とは異なる例を示す図である。
【図９】要素配置変更資料を表示する場合の図３に示す携帯機器の動作のフローチャートである。
【図１０】（ａ）図１に示す表示装置に表示中の発表資料と、この発表資料上に存在しているポインターとの一例を示す図である。（ｂ）図１０（ａ）に示す発表資料およびポインターに基づいて生成される表示用画像の一例を示す図である。
【図１１】（ａ）図１に示す表示装置に表示中の発表資料と、この発表資料上に存在しているポインターとの一例であって、図１０（ａ）に示す例とは異なる例を示す図である。（ｂ）図１１（ａ）に示す発表資料およびポインターに基づいて生成される表示用画像の一例を示す図である。
【図１２】（ａ）図３に示す撮像部によって撮影された画像の一例を示す図である。（ｂ）図１２（ａ）に示す画像にＡＲ技術によって表示用画像が合成された画像の一例を示す図である。
【発明を実施するための形態】
【００１９】
以下、本発明の一実施の形態について、図面を用いて説明する。
【００２０】
まず、本実施の形態に係る画像処理システム１０の構成について説明する。
【００２１】
図１は、本実施の形態に係る画像処理システム１０のブロック図である。
【００２２】
図１に示すように、画像処理システム１０は、発表資料を表示するプロジェクターなどの表示装置２０と、表示装置２０によって表示中の発表資料上の位置を指し示すために発表者によって使用されるレーザーポインター２５と、表示装置２０と通信可能に接続されていて表示装置２０に発表資料の画像データを提供する発表用コンピューター３０と、発表の聞き手によって携帯される本発明の画像処理装置としての携帯機器４０とを備えている。発表用コンピューター３０と、携帯機器４０とは、ＬＡＮ（Ｌｏｃａｌ  Ａｒｅａ  Ｎｅｔｗｏｒｋ）、インターネットなどのネットワーク１１を介して互いに通信可能に接続されている。
【００２３】
携帯機器４０は、発表資料に含まれる要素の配置を変更した要素配置変更資料を表示することができる。ここで、要素とは、文字および画像の少なくとも一方を含む領域である。
【００２４】
ここで、発表者は、レーザーポインター２５によって発せられたレーザーによって発表資料上に生成されるポインターによって、表示装置２０によって表示中の発表資料上の位置を指し示しながら発表する。発表の聞き手は、表示装置２０によって表示中の発表資料を見ながら、発表者による発表を聞くことが可能である。また、聞き手は、表示装置２０に表示されている発表資料ではなく、携帯機器４０に表示されている要素配置変更資料を見ながら、発表者による発表を聞くことも可能である。
【００２５】
図２は、発表用コンピューター３０のブロック図である。
【００２６】
図２に示すように、発表用コンピューター３０は、種々の操作が入力されるマウスやキーボードなどの入力デバイスである操作部３１と、種々の情報を表示するＬＣＤ（Ｌｉｑｕｉｄ  Ｃｒｙｓｔａｌ  Ｄｉｓｐｌａｙ）などの表示デバイスである表示部３２と、ネットワーク１１（図１参照。）経由で外部の装置と通信を行うネットワーク通信デバイスであるネットワーク通信部３３と、プログラムおよび各種のデータを記憶しているＨＤＤ（Ｈａｒｄ  Ｄｉｓｋ  Ｄｒｉｖｅ）などの不揮発性の記憶装置である記憶部３４と、発表用コンピューター３０全体を制御する制御部３５とを備えている。発表用コンピューター３０は、例えばＰＣ（Ｐｅｒｓｏｎａｌ  Ｃｏｍｐｕｔｅｒ）によって構成されている。
【００２７】
記憶部３４は、発表資料の画像データである発表資料データ３４ａを記憶している。
【００２８】
また、記憶部３４は、要素配置変更資料の画像データである要素配置変更資料データ３４ｂを記憶することができるようになっている。
【００２９】
制御部３５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部３４に記憶されているプログラムを実行するようになっている。
【００３０】
図３は、携帯機器４０のブロック図である。
【００３１】
図３に示すように、携帯機器４０は、種々の操作が入力されるボタンなどの入力デバイスである操作部４１と、種々の情報を表示するＬＣＤなどの表示デバイスである表示部４２と、静止画または動画を撮影する撮像デバイスである撮像部４３と、ネットワーク１１（図１参照。）経由で外部の装置と通信を行うネットワーク通信デバイスであるネットワーク通信部４４と、プログラムおよび各種のデータを記憶しているＨＤＤなどの不揮発性の記憶装置である記憶部４５と、携帯機器４０全体を制御する制御部４６とを備えている。携帯機器４０は、例えばタブレットなどのコンピューターによって構成されている。
【００３２】
操作部４１は、表示部４２とともにタッチパネルを形成する入力デバイスを含んでいても良い。
【００３３】
記憶部４５は、制御部４６によって実行される画像処理プログラム４５ａを記憶している。画像処理プログラム４５ａは、携帯機器４０の製造段階で携帯機器４０にインストールされていても良いし、ＵＳＢ（Ｕｎｉｖｅｒｓａｌ  Ｓｅｒｉａｌ  Ｂｕｓ）メモリーなどの記憶媒体から携帯機器４０に追加でインストールされても良いし、ネットワーク１１上から携帯機器４０に追加でインストールされても良い。
【００３４】
制御部４６は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４５に記憶されているプログラムを実行するようになっている。
【００３５】
制御部４６は、記憶部４５に記憶されている画像処理プログラム４５ａを実行することによって、表示部４２を介して表示される表示用画像を生成する表示用画像生成手段４６ａ、撮像部４３を介して撮影された発表資料の画像に対する画像処理によって、ポインターによるこの発表資料上の指示位置を取得する指示位置取得手段４６ｂ、および、指示位置取得手段４６ｂを介して取得された指示位置に対応する要素配置変更資料上の位置を変更後指示位置として決定する変更後指示位置決定手段４６ｃとして機能する。
【００３６】
次に、画像処理システム１０の動作について説明する。
【００３７】
まず、要素配置変更資料データ３４ｂを生成する場合の発表用コンピューター３０の動作について説明する。
【００３８】
図４は、発表資料データ３４ａによって表される発表資料５０の一例を示す図である。
【００３９】
図４に示す発表資料５０は、基本の領域５１と、領域５１内に配置されている領域５２、５３および５４と、領域５２内に配置されている文字５２ａと、領域５３内に配置されている文字５３ａと、領域５４内に配置されている画像５４ａとを含んでいる。
【００４０】
領域５１、領域５２、領域５３、領域５４、文字５２ａ、文字５３ａ、画像５４ａは、それぞれ発表資料５０に含まれる要素である。
【００４１】
発表用コンピューター３０の制御部３５は、例えば操作部３１を介して要素配置変更資料データ３４ｂの生成の指示が入力された場合などの特定の場合に、発表資料データ３４ａによって表される発表資料５０内の全ての領域に対して、各領域を対象にした図５に示す動作を実行する。なお、制御部３５は、要素配置変更資料データ３４ｂを生成する場合に、発表資料データ３４ａ自体を変更して要素配置変更資料データ３４ｂを生成するのではなく、発表資料データ３４ａとは別に要素配置変更資料データ３４ｂを生成する。
【００４２】
図５は、要素配置変更資料データ３４ｂを生成する場合の発表用コンピューター３０の動作のフローチャートである。
【００４３】
図５に示すように、発表用コンピューター３０の制御部３５は、対象の領域内に直下の要素が含まれているか否かを判断する（Ｓ１０１）。ここで、直下の要素とは、対象の領域が領域５１である場合には領域５２、領域５３および領域５４のことであり、対象の領域が領域５２である場合には文字５２ａのことであり、対象の領域が領域５３である場合には文字５３ａのことであり、対象の領域が領域５４である場合には画像５４ａのことである。
【００４４】
制御部３５は、対象の領域内に直下の要素が含まれていないとＳ１０１において判断すると、図５に示す動作を終了する。
【００４５】
一方、制御部３５は、対象の領域内に直下の要素が含まれているとＳ１０１において判断すると、直下の要素のうち１つの要素を対象にして（Ｓ１０２）、その要素が対象の領域の左右方向の中心線にかかっているか否かを判断する（Ｓ１０３）。
【００４６】
制御部３５は、対象の要素が中心線にかかっていないとＳ１０３において判断すると、対象の要素の位置を、この中心線に対して左右方向において変更前とは反対側の位置であって、この中心線と、対象の要素との変更前の距離と同一の距離だけこの中心線から離した位置に変更する（Ｓ１０４）。
【００４７】
例えば、対象の領域が図６（ａ）に示す領域５２である場合について説明する。図６（ａ）において、領域５２の直下の要素である文字５２ａの「ｃ」は、領域５２の左右方向の中心線５２ｂにかかっていない。また、図６（ａ）において、文字５２ａの「ｃ」の位置は、中心線５２ｂに対して左側に配置されていて、中心線５２ｂから距離５２ｃだけ離れた位置に配置されている。したがって、制御部３５は、図６（ｂ）に示すように、文字５２ａの「ｃ」の位置を、中心線５２ｂに対して左右方向の反対側の位置、すなわち、右側の位置であって、距離５２ｃと同一の距離５２ｄだけ中心線５２ｂから離した位置に変更する。なお、文字５２ａの「ｃ」について説明したが、文字５２ａの「ａ」、「ｂ」についても同様である。
【００４８】
図５に示すように、制御部３５は、対象の要素が中心線にかかっているとＳ１０３において判断すると、対象の要素の位置を、この要素の左端と、この中心線との変更後の距離が、この要素の右端と、この中心線との変更前の距離と同一になる位置に変更する（Ｓ１０５）。
【００４９】
例えば、対象の領域が図７（ａ）に示す領域５４である場合について説明する。図７（ａ）において、領域５４の直下の要素である画像５４ａは、領域５４の左右方向の中心線５４ｂにかかっている。また、図７（ａ）において、画像５４ａの右端は、中心線５４ｂと距離５４ｃだけ離れた位置に配置されている。したがって、制御部３５は、図７（ｂ）に示すように、画像５４ａの位置を、画像５４ａの左端と、中心線５４ｂとの距離５４ｄが距離５４ｃと同一になる位置に変更する。
【００５０】
図５に示すように、制御部３５は、Ｓ１０４またはＳ１０５の処理の後、対象の領域内の直下の要素の全ての要素を対象にしたか否かを判断する（Ｓ１０６）。
【００５１】
制御部３５は、対象の領域内の直下の要素のうち未だ対象にしていない要素が存在するとＳ１０６において判断すると、未だ対象にしていない要素のうち１つの要素を対象にして（Ｓ１０２）、再びＳ１０３の処理を実行する。
【００５２】
一方、制御部３５は、対象の領域内の直下の要素の全ての要素を対象にしたとＳ１０６において判断すると、図５に示す動作を終了する。
【００５３】
制御部３５は、以上のように動作することによって、発表資料データ３４ａから要素配置変更資料データ３４ｂを生成する。
【００５４】
図８（ａ）は、要素配置変更資料データ３４ｂによって表される要素配置変更資料６０の一例を示す図である。図８（ｂ）は、要素配置変更資料データ３４ｂによって表される要素配置変更資料６０の一例であって、図８（ａ）に示す例とは異なる例を示す図である。
【００５５】
例えば、制御部３５は、図４に示す発表資料５０から、図８（ａ）に示す要素配置変更資料６０を生成する。なお、制御部３５は、図４に示す発表資料５０から、図８（ｂ）に示す要素配置変更資料６０を生成するようになっていても良い。図８（ｂ）に示す要素配置変更資料６０においては、文字５２ａ、５３ａが文字列全体を要素として配置が変更されており、文字列における文字５２ａ、５３ａの並び順が逆になっていない。制御部３５は、文字を要素とする場合に１文字ずつと、文字列全体との何れを要素とするかを、例えば操作部３１を介して設定されることができるようになっている。
【００５６】
次に、要素配置変更資料を表示する場合の携帯機器４０の動作について説明する。
【００５７】
発表の聞き手は、画像処理プログラム４５ａを起動する指示を操作部４１を介して入力した後、表示装置２０によって表示中の発表資料を携帯機器４０の撮像部４３によって撮影する。
【００５８】
携帯機器４０の制御部４６は、操作部４１を介した指示に応じて画像処理プログラム４５ａを起動すると、図９に示す動作を繰り返し実行する。
【００５９】
図９は、要素配置変更資料を表示する場合の携帯機器４０の動作のフローチャートである。
【００６０】
図９に示すように、制御部４６の指示位置取得手段４６ｂは、撮像部４３によって撮影された発表資料の画像に対する画像処理によって、ポインターによるこの発表資料上の指示位置を取得する（Ｓ１３１）。
【００６１】
次いで、制御部４６の変更後指示位置決定手段４６ｃは、表示装置２０によって表示中の発表資料に対応する要素配置変更資料データ３４ｂをネットワーク通信部４４を介して発表用コンピューター３０から取得する（Ｓ１３２）。
【００６２】
次いで、変更後指示位置決定手段４６ｃは、Ｓ１３１において取得された指示位置に対応する、Ｓ１３２において取得した要素配置変更資料データ３４ｂによって表される要素配置変更資料上の位置を変更後指示位置として決定する（Ｓ１３３）。具体的には、変更後指示位置決定手段４６ｃは、発表資料上において指示位置に存在する要素が要素配置変更資料において発表資料から配置が変更されていることを、要素配置変更資料の画像に対する画像処理によって判断した場合に、この要素の変更後の配置に合わせて変更後指示位置を決定する。
【００６３】
次いで、表示用画像生成手段４６ａは、Ｓ１３３において決定された変更後指示位置を示す変更後指示位置指示画像を要素配置変更資料の画像に合成した画像を表示用画像として生成する（Ｓ１３４）。
【００６４】
次いで、制御部４６は、Ｓ１３４において生成した表示用画像を表示部４２に表示させて（Ｓ１３５）、図９に示す動作を終了する。
【００６５】
例えば、図１０（ａ）に示すように表示装置２０によって表示中の発表資料５０上にレーザーポインター２５によるポインター２５ａが存在している場合、制御部４６は、図１０（ｂ）に示すように変更後指示位置を示す変更後指示位置指示画像７１を要素配置変更資料６０の画像に合成した表示用画像７０を表示部４２に表示させる。図１０（ａ）において領域５２内の文字５２ａの「ｃ」の位置がポインター２５ａによる指示位置であって、図１０（ｂ）においても領域５２内の文字５２ａの「ｃ」の位置が変更後指示位置指示画像７１による変更後指示位置である。
【００６６】
同様に、図１１（ａ）に示すように表示装置２０によって表示中の発表資料５０上にレーザーポインター２５によるポインター２５ａが存在している場合、制御部４６は、図１０（ｂ）に示すように変更後指示位置を示す変更後指示位置指示画像７１を要素配置変更資料６０の画像に合成した表示用画像７０を表示部４２に表示させる。図１１（ａ）において領域５４内の画像５４ａの右上端の近傍の位置がポインター２５ａによる指示位置であって、図１１（ｂ）においても領域５４内の画像５４ａの右上端の近傍の位置が変更後指示位置指示画像７１による変更後指示位置である。
【００６７】
図１０（ｂ）および図１１（ｂ）においては、変更後指示位置指示画像７１は、変更後指示位置が視認され易いように、人物を模した図形となっている。しかしながら、変更後指示位置指示画像７１としては、任意の図形が採用されることが可能である。例えば、変更後指示位置指示画像７１は、単なる点であっても良い。
【００６８】
なお、制御部４６は、表示用画像７０の表示方法として、ＡＲ（Ａｕｇｍｅｎｔｅｄ  Ｒｅａｌｉｔｙ）技術を利用しても良い。例えば、撮像部４３によって撮影した画像が図１２（ａ）に示す画像８０である場合、制御部４６は、画像８０における発表資料５０の画像の部分を表示用画像７０に置き換えた図１２（ｂ）に示す画像８０を表示部４２に表示させるようになっていても良い。なお、図１２に示す画像８０には、撮像部４３によって撮影された発表者９０が含まれている。また、図１２（ａ）に示す画像８０には、撮像部４３によって撮影されたポインター２５ａが含まれている。
【００６９】
以上に説明したように、画像処理プログラム４５ａは、撮像部４３によって撮影された発表資料５０の画像に対する画像処理によって、ポインター２５ａによる発表資料５０上の指示位置を取得し（Ｓ１３１）、この指示位置に対応する要素配置変更資料６０上の位置を変更後指示位置として決定し（Ｓ１３３）、この変更後指示位置を示す変更後指示位置指示画像７１を要素配置変更資料６０の画像に合成した画像を、表示部４２によって表示される表示用画像７０として生成する（Ｓ１３４）。このため、表示装置２０によって表示中の発表資料５０上の位置を発表者９０がポインター２５ａによって指し示しながら発表するとき、発表資料５０に含まれる要素の配置を変更した要素配置変更資料６０を発表の聞き手に対して表示する（Ｓ１３５）場合に、ポインター２５ａによる発表資料５０上の指示位置を変更後指示位置指示画像７１によって要素配置変更資料６０に対して適切に示すことができる。したがって、聞き手は、携帯機器４０の表示部４２に表示された要素配置変更資料６０、すなわち、聞き手にとって要素の配置に違和感が少ない資料と、常に要素配置変更資料６０上の適切な位置に配置されるポインターとを見ながら、発表者による発表を聞くことが可能である。
【００７０】
画像処理プログラム４５ａは、表示装置２０によって表示中の発表資料５０上においてポインター２５ａによって指し示されている要素が要素配置変更資料６０において発表資料５０から配置が変更される場合に、この要素の変更後の配置に合わせた変更後指示位置を示す変更後指示位置指示画像７１を要素配置変更資料６０の画像に合成して表示用画像７０を生成するので、ポインター２５ａによる発表資料５０上の指示位置を変更後指示位置指示画像７１によって要素配置変更資料６０に対して適切に示すことができる。
【００７１】
要素配置変更資料６０は、上述したように、発表資料５０に対して、発表資料５０に含まれる要素の左右方向の配置を変更した資料である。この構成により、画像処理プログラム４５ａは、言語が横書きされる場合に左から右に記述される日本語圏、英語圏などの文化圏と、右から左に記述されるアラビア語圏などの文化圏との違いのように、発表資料５０が対応している文化圏と、聞き手の文化圏とで言語が横書きされる場合の記述方向が異なるときであっても、ポインター２５ａによる発表資料５０上の指示位置を変更後指示位置指示画像７１によって要素配置変更資料６０に対して適切に示すことができる。
【００７２】
なお、画像処理システム１０は、携帯機器４０が要素配置変更資料６０を発表用コンピューター３０から直接取得するようになっているが、間にサーバーを介在させるようになっていても良い。
【００７３】
発表資料が複数ページである場合、携帯機器４０は、発表資料のうち表示装置２０に表示されているページに対応する要素配置変更資料のページを、発表用コンピューター３０から直接に、または、発表用コンピューター３０からサーバーを介して都度取得するようになっていても良い。また、携帯機器４０は、全てのページの要素配置変更資料を、発表用コンピューター３０から直接に、または、発表用コンピューター３０からサーバーを介して取得しておいて、発表資料のうち表示装置２０に表示されているページ番号のみを、発表用コンピューター３０から直接に、または、発表用コンピューター３０からサーバーを介して都度取得するようになっていても良い。
【００７４】
また、要素配置変更資料は、本実施の形態において、発表用コンピューター３０によって生成されるようになっているが、上述したサーバーによって生成されるようになっていても良いし、携帯機器４０によって生成されるようになっていても良い。
【００７５】
携帯機器４０は、要素配置変更資料を生成するようになっている場合、発表用コンピューター３０から直接に、または、発表用コンピューター３０からサーバーを介して取得した発表資料データに基づいて要素配置変更資料を生成するようになっていても良いし、撮像部４３によって撮影された発表資料の画像から画像処理によって要素を解析することによって要素配置変更資料を生成するようになっていても良い。
【００７６】
また、画像処理システム１０は、本実施の形態において本発明の画像処理装置として携帯機器を備えているが、携帯機器以外のコンピューターを本発明の画像処理装置として備えていても良い。例えば、本発明の画像処理装置は、発表の会場に備え付けられているコンピューターであっても良い。
【符号の説明】
【００７７】
１０  画像処理システム
２５ａ  ポインター
４０  携帯機器（画像処理装置、コンピューター）
４２  表示部（表示デバイス）
４３  撮像部（撮像デバイス）
４５ａ  画像処理プログラム
４６ａ  表示用画像生成手段
４６ｂ  指示位置取得手段
４６ｃ  変更後指示位置決定手段
５０  発表資料
５１  領域（要素）
５２  領域（要素）
５２ａ  文字（要素）
５３  領域（要素）
５３ａ  文字（要素）
５４  領域（要素）
５４ａ  画像（要素）
６０  要素配置変更資料
７０  表示用画像
７１  変更後指示位置指示画像
９０  発表者
【図１】
2014235561.tif 000003
【図２】
2014235561.tif 000004
【図３】
2014235561.tif 000005
【図４】
2014235561.tif 000006
【図５】
2014235561.tif 000007
【図６】
2014235561.tif 000008
【図７】
2014235561.tif 000009
【図８】
2014235561.tif 000010
【図９】
2014235561.tif 000011
【図１０】
2014235561.tif 000012
【図１１】
2014235561.tif 000013
【図１２】
2014235561.tif 000014